(57)【要約】【課題】簡単な構造で複数の防犯ユニットを一斉に作動し得る防犯システムを提供する。【解決手段】タイマー３２によってシステムへの電力供給を任意の時間にオン・オフされる既設電源２２を制御手段３０に直接接続させる。また、複数の防犯ユニット２８,２８の夫々に内蔵されて、検知エリア内への動体の侵入を検知する検知手段２６を、夫々、制御手段３０に電気的に並列接続させる。更に、各防犯ユニット２８に設けられたライト４４を、制御手段３０を介して既設電源２２に夫々並列接続させる。そして、任意の検知手段２６が不審者を検知し、該検知手段２６からの検知信号により、制御手段３０は、複数のライト４４,４４に対して既設電源２２からの電力供給を行なって、これらライト４４,４４を一斉に作動させる。【選択図】図１
2006215995.tif 000002
【特許請求の範囲】
【請求項１】
検知エリア内への動体の侵入を検知して検知信号を出力する検知手段(26)および外部電源(22)により電力を供給されて作動時に点灯するライト(44)を備え、これら検知手段(26)およびライト(44)は電気的に切り離されている複数の防犯ユニット(28,28)と、
前記夫々の防犯ユニット(28)の何れかにおける検知手段(26)からの検知信号により前記外部電源(22)からの電力供給を行なって、全ての防犯ユニット(28,28)におけるライト(44,44)を一斉に点灯させる制御手段(30)とから構成した
ことを特徴とする防犯システム。
【請求項２】
回転灯(46)その他サイレン(48)等の外部警報手段を、前記防犯ユニット(28)のライト(44)と並列に接続した請求項１記載の防犯システム。
【請求項３】
前記防犯ユニット(28)は、システム作動中を外部へ覚知させる発光手段(24)を備えている請求項１または２記載の防犯システム。
【請求項４】
前記発光手段(24)として、超高輝度ＬＥＤが使用される請求項３記載の防犯システム。
【請求項５】
前記検知手段(26)が動体を検知した際に、既設の電話回線(52)を介して予め登録した複数の連絡先へ通報する通報手段(40)を設け、該通報手段(40)は前記外部電源(22)とは独立した第２の電源部(42)で作動される請求項１〜４の何れかに記載の防犯システム。
【請求項６】
前記防犯ユニット(28)に設置現場の状況音を拾うマイク(54)を設け、その状況音を前記通報手段(40)を介して前記連絡先へ伝えるようになっている請求項５記載の防犯システム。
【請求項７】
前記外部電源(22)からの電力供給を任意の時間設定によりオン・オフさせるタイマー(32)が設けられた請求項１〜６の何れかに記載の防犯システム。
【発明の詳細な説明】
【技術分野】
【０００１】
この発明は、防犯システムに関するものであり、店舗や事務所、更には工場・倉庫等の屋内外に設置されて、不審者の侵入を抑止する防犯システムに関するものである。
【背景技術】
【０００２】
近年、空き巣や強盗等の犯罪が急増していることから、人影に反応して自動的に点灯する防犯ライト等の防犯装置を設置した家庭が多くなっている。このような防犯ライトの１つに、例えば特許文献１の「警報装置」が提案されている。図５に示すように、この警報装置１０は、本体ハウジング１１内に照明ライト１３、警報音発生器１４および受信機を有した制御ユニット１６、その他の機器が内蔵されて、一体的な構造となっている。そして、携帯用発信機(図示せず)から送信されてくる警報信号を受信機が受信した際に、自動的に前記照明ライト１３および警報音発生器１４が作動して、不審者の侵入を知らせるようになっている。すなわち、特許文献１に示す警報装置１０は、各部材が一体的に構成されて全ての機能が内包されており、単一の機器として使用することが前提となっている。
【０００３】
また、このような設置型の防犯装置以外の防犯システムとしては、警備会社が提供する有料の警備サービスが挙げられる。このような警備サービスは、警備会社と顧客との間に予め契約を締結し、警備会社が契約先のオフィスや倉庫等にセンサを設置して、該センサが異常信号を検知した際に警備員が現場に駆け付けて、物品の盗難等があったかを確認するものである。
【特許文献１】特開平９−６２９５５号公報
【発明の開示】
【発明が解決しようとする課題】
【０００４】
ところで、特許文献１の警報装置１０のような設置型の防犯装置は、前述の如く、一台で全ての機能を有し、不審者の検知・警報等の一連の動作を単独でなし得るため、通常、玄関や軒先等の屋外に単体で設置される。ところが、１つの警報装置１０だけでは不審者の検知エリアが狭く、警報装置１０が設置されていない箇所からであれば、容易に建物内へ侵入することができてしまう。また、前記警報装置１０を複数設置した場合には、不審者を検知するエリアをその分広げることができるが、前述のように、警報装置１０の制御ユニット１６は他の部材と一体的に設けられているので、全ての警報装置１０が連動的に作動することはない。すなわち、不審者を検知した際に作動するのはその警報装置１０だけであり、他の警報装置１０は停止したままである。従って、前記警報装置１０を複数設けたとしても、その犯罪抑止効果は、単体で設けた場合と同じになってしまう。更に、警報装置１０を複数設置した場合には、それだけ設置コストが嵩んでしまう問題も生ずる。
【０００５】
一方、警備会社が提供する警備サービスについては、不審者を検知後、警備員が到着するまでに多少の時間が掛かってしまい、その間に犯罪が行なわれてしまうといった難点が指摘されている。また、このような警備サービスに対して支払う料金は、前記警報装置１０の如き、設置型の防犯装置に比べて高額となってしまう。
【０００６】
そこで本発明は、前述した従来の技術に内在している前記課題に鑑み、これを好適に解決するべく提案されたものであって、任意の検知手段が不審者を検知した際に、複数のライトが連動して一斉に点灯し得ると共に、設置コストも低廉な防犯システムを提供することを目的とする。
【課題を解決するための手段】
【０００７】
前記課題を克服し、所期の目的を達成するため、本発明に係る防犯システムは、
検知エリア内への動体の侵入を検知して検知信号を出力する検知手段および外部電源により電力を供給されて作動時に点灯するライトを備え、これら検知手段およびライトは電気的に切り離されている複数の防犯ユニットと、
前記夫々の防犯ユニットの何れかにおける検知手段からの検知信号により前記外部電源をオン動作させて、全ての防犯ユニットにおけるライトを一斉に点灯させる制御手段とから構成したことを特徴とする。
【発明の効果】
【０００８】
本発明に係る防犯システムによれば、各防犯ユニットにおける検知手段とライトとを電気的に切り離し、任意の検知手段からの検知信号を制御手段が受信して、該制御手段が全てのライトを一斉に作動させるよう構成したので、警備対象である建物の大きさや形状に合わせて防犯ユニットの設置数および設置箇所が変更でき、異常事態を周囲に知らしめる犯罪抑止効果も向上する。また、この防犯システムは、単純な構造で複数の防犯ユニットを同時に作動し得るので、設置コストが嵩むこともない。
【０００９】
また、回転灯やサイレン等の外部警報手段を前記ライトと共に制御手段に並列に接続させることで、犯罪の抑止効果を更に高めることが可能となる。また、前記防犯ユニットは、システム作動中を外部へ覚知させる超高輝度ＬＥＤ等の発光手段を備えているので、不審者に対して防犯システムの存在を認識させ、犯行を断念させる効果を有する。更に、本発明の防犯システムは通報手段を備えているので、予め登録した複数の連絡先へ異常事態を電話回線を介して通報することができる。また、仮に不審者が外部電源を破壊したとしても、外部電源とは独立した第２の電源部によって通報手段は作動されるので、異常事態の通報が停止されることはない。
【００１０】
更に、本発明に係る防犯システムは、前記防犯ユニットにマイクを設けたので、設置現場の状況音を前記通報手段を介して所定の連絡先へ送信することができる。また、外部電源からの電力供給を任意の時間設定によりオン・オフさせるタイマーを設けた場合、所望の時間に防犯システムを自動的に起動させることができる。従って、防犯システムの誤動作を防止したり、該システムを作動し忘れたりすることがない。
【発明を実施するための最良の形態】
【００１１】
次に、本発明に係る防犯システムにつき、好適な実施例を挙げて、添付図面を参照して以下に説明する。なお、実施例では防犯システムを倉庫の屋内に設置した場合を示すが、本防犯システムの設置対象としては倉庫に限定されず、一般家屋やビル、デパート等、各種の建物の屋内外に設置することができる。
【００１２】
(実施例)
図１は、実施例に係る防犯システム２０を示す概略説明図であって、この防犯システム２０は、検知手段２６およびライト４４を備えた複数(実施例では４つ)の防犯ユニット２８,２８と、該夫々の防犯ユニット２８の何れかにおける検知手段２６からの検知信号を受信して、全ての防犯ユニット２８,２８におけるライト４４,４４を一斉に点灯させる制御手段３０とから基本的に構成されている。また図２は、この防犯システム２０が設置された倉庫３４の外観を概略的に示したものであり、当該防犯システム２０の駆動電源は、倉庫３４に設置された既設電源(外部電源)２２を使用するものとする。
【００１３】
前記防犯ユニット２８は、図３に示すように、前記検知手段２６およびライト４４とから構成されており、作動時に該ライト４４が点灯して異常事態を周囲に知らしめると共に、不審者の犯行を防止させる効果を有している。この防犯ユニット２８は、警備対象の大きさに合わせて設置数を変更することが可能となっており、前記倉庫３４における天井の四隅に配置されている。また、各防犯ユニット２８に設けられる検知手段２６は、動体(不審者)が検知エリア内に侵入したことを検知するものであって、防犯システム２０は複数の検知手段２６を備えることで、広範囲を検知し得るようになっている。
【００１４】
前記検知手段２６,２６は、夫々が後述の制御手段３０と電気的に並列接続されており、不審者を検知した検知信号は、制御手段３０に送信されるよう構成されている。すなわち、図４に示すように、実施例に係る検知手段２６は小型リレー２６ａが内蔵されており、不審者を検知した際に小型リレー２６ａが励磁され、対応する常開接点が閉成して制御手段３０が作動するよう構成される。。但し、このような検知信号を制御手段３０へ送信する方法としては、このような電磁リレーによるものに限られず、例えば、リモコン装置によって無線送信するようにしてもよい。なお、実施例では、前記検知手段２６の作動電源として、前記既設電源２２を使用しているが、各検知手段２６が独自の駆動電源を備えるようにしてもよい。また、この検知手段２６の具体例としては、赤外線センサーや超音波センサー、温感センサー等の従来公知のものが好適に使用される。
【００１５】
前記ライト４４は、図３に示すように、前記ライト４４と検知手段２６とは電気的に切り離されており、前述のように、該検知手段２６の検知信号は外部の制御手段３０に送られよう構成されている。更に、複数のライト４４,４４は、夫々が前記制御手段３０を介して既設電源２２と電気的に並列接続されており、作動時に該既設電源２２からの電力が各ライト４４に一斉に供給されるようになっている。
【００１６】
前記制御手段３０は、図４に示すように、大容量の電力を出力可能な大容量リレー３０ａを有しており、複数のライト４４,４４等が電気的に並列接続されると共に、既設電源２２と直接的に接続されている。また、前述のように、制御手段３０は、複数の検知手段２６,２６が夫々並列的に接続されて、該検知手段２６,２６の何れか１つの検知信号を受信することで、前記大容量リレー３０ａが励磁されるようになっている。すなわち、前記複数の検知手段２６,２６の１つが不審者を検知すると、前記大容量リレー３０ａが励磁され、前記複数のライト４４,４４の常開接点が閉成する。そして、前記既設電源２２からの電力をライト４４,４４へ同時に供給して、これらを一斉に作動するよう構成される。なお、実施例の制御手段３０は、大容量リレー３０ａによるリレー制御を行なうものを採用したが、この制御手段３０としては、他の汎用制御機器(例えば、無接点シーケンサ等)を使用しても構わない。
【００１７】
更に、図１に示すように、制御手段３０には、回転灯４６やサイレン４８等の外部警報手段が並列接続され、防犯効果を更に高めるようになっている。これらの外部警報手段は、前記ライト４４,４４と電気的に並列関係にあり、不審者を検知した際に既設電源２２からの電力を供給して、該ライト４４と同時に作動するようになっている。なお、外部警報手段としては、これら回転灯４６やサイレン４８に限られず、例えば、不審者を撮影する監視カメラを使用してもよい。
【００１８】
前記各防犯ユニット２８には、システム作動中を外部へ覚知させる発光手段２４が設けられ、侵入を試みようとする不審者に対し、防犯システム２０が作動中であることを認識させて侵入を断念させる効果を有するものである。実施例では、この発光手段２４として、倉庫３４の屋外からでもはっきりと確認し得る超高輝度ＬＥＤが使用されている。この超高輝度ＬＥＤ２４は、指向特性が非常に優れた発光デバイスであって、暗闇の中でもはっきりとその光を確認することができる。また、一般的に、前記超高輝度ＬＥＤ２４は超寿命・省電力であって、前記発光手段としては好適である。
【００１９】
また、前記超高輝度ＬＥＤ２４は、防犯システム２０が作動中、規則的に点滅するようになっている。すなわち、各防犯ユニット２８に設けられた複数の超高輝度ＬＥＤ２４,２４が、防犯システム２０の作動中に規則的に点滅しているので、不審者はより警戒心を煽られて、倉庫３４への侵入を断念する可能性が高くなる。なお、この発光手段２４としては、実施例の如き超高輝度ＬＥＤに限られず、通常のＬＥＤランプやレーザー光等を使用してもよい。すなわち、不審者に対して防犯システム２０が作動していることを認識させ得る発光体であれば、本発明の発光手段２４として採用し得る。また、前記各超高輝度ＬＥＤ２４は、前記既設電源２２とは独立した、独自の作動電源(図示せず)によって作動されるようになっている。
【００２０】
実施例に係る防犯システム２０は、検知手段２６が不審者を検知した際に、既設の電話回線５２を介して予め登録した複数の連絡先へ通報を行なう通報手段４０を備えており、該通報手段４０は、前記既設電源２２とは独立した電源部(第２の電源部)４２で作動される。この通報手段４０は、前記検知手段２６が不審者を検知した際に、倉庫３４に設置されている固定電話５０等を自動的に作動させて通報を行なうものであり、複数の連絡先(例えば、倉庫３４の管理者の携帯番号や自宅の電話番号等)を予め登録し得るようになっている。また、図１に示すように、前記各防犯ユニット２８には、設置現場の状況音を拾うマイク５４が夫々設けられている。このマイク５４は、前記防犯ユニット２８の所要位置に配設されて、検知手段２６が不審者を検知した際に、周囲の音(状況音)を集音するようになっている。そして、マイク５４によって集音された前記状況音は、前記通報手段４０を介して外部の連絡先へ通報されるようになっている。なお、前記通報手段４０は電源部４２によって作動されるので、不審者が既設電源２２を破壊して防犯システム２０を停止させた場合にも、通報手段４０は停止することはなく、通報をし続けることが可能である。
【００２１】
前記防犯システム２０は、前記既設電源２２からの電源供給を任意の時間設定によりオン・オフさせるタイマー３２を備えている。このタイマー３２は、例えば、図１に示すように、制御手段３０に一体的に設けられ、既設電源２２から防犯システム２０への電力供給を適宜の時間帯にＯＮ・ＯＦＦ作動させて、防犯システム２０を任意の時間帯(例えば、夜間や休日)に自動的に起動させることができるようになっている。
【００２２】
(実施例の作用)
次に、実施例に係る防犯システム２０の作用について説明する。例えば倉庫３４の管理者が、タイマー３２を夜１１時に作動するよう設定したとすると、その時刻に、前記既設電源２２をＯＮ作動させて、防犯システム２０に電力供給がなされ、該システム２０が自動的に起動される。すなわち、タイマー３２によって防犯システム２０の作動時間を任意に設定し得るので、防犯システム２０を作動させるのを忘れたり、防犯システム２０の切り忘れによる誤動作の発生を防止し得る。防犯システム２０が起動すると、前記超高輝度ＬＥＤ２４が鮮明な光を点滅させる。これにより、不審者は防犯システム２０が作動中であることを認識し、犯行を断念する可能性が高くなる。
【００２３】
前記超高輝度ＬＥＤ２４の存在にも拘わらず、不審者が倉庫３４の窓ガラス等を破壊して屋内へ侵入した際には、複数の検知手段２６,２６の１つがその検知エリア内に侵入した不審者を検知する。この時、その検知手段２６に内蔵された小型リレー２６ａが励磁されて、その常開接点が閉成する。そして、前記既設電源２２から前記制御手段３０に作動電力が供給されて、内蔵の大容量リレー３０ａが励磁される。次いで、前記大容量リレー３０ａの常開接点が閉じ、制御手段３０に電気的に並列接続された複数のライト４４,４４,回転灯４６およびサイレン４８が、制御手段３０を介して既設電源２２に接続される。そして、既設電源２２から前記複数のライト４４,４４,回転灯４６およびサイレン４８へ作動電力が一斉に供給されて、これらは同時に作動する。
【００２４】
また、前記検知手段２６が不審者を検知した際に、前記防犯ユニット２８に設けられたマイク５４が作動して現場の状況音を拾い、この状況音は前記通報手段４０へ送られる。そして、前記通報手段４０は、倉庫３４に設置された固定電話５０を作動させて、既設の電話回線５２を介して予め登録された複数の連絡先へ前記状況音を通報する。
【００２５】
すなわち、実施例に係る防犯システム２０は、各防犯ユニット２８における検知手段２６とライト４４とを電気的に切り離し、任意の検知手段２６からの検知信号を制御手段３０が受信して、該制御手段３０が全てのライト４４,４４を一斉に作動させるよう構成したので、警備対象である倉庫３４の大きさや形状に合わせて防犯ユニット２８,２８の設置数および設置箇所が変更でき、犯罪抑止効果も向上する。また、この防犯システム２０は、単純な構造で複数の防犯ユニット２８,２８を同時に作動し得るので、設置コストが嵩むこともない。
【００２６】
また、回転灯４６やサイレン４８等の外部警報手段が前記防犯ユニット２８のライト４４と共に制御手段３０に並列に接続されて、これらライト４４,４４と同時に作動するよう構成したので、犯罪の抑止効果を更に高めることが可能となる。更に、前記防犯システム２０は、独立した第２の電源部４２で作動される通報手段４０を有しているので、マイク５４からの状況音を複数の連絡先へ通報し得ると共に、仮に不審者が既設電源２２を破壊しても、異常事態の通報が停止されることはない。
【図面の簡単な説明】
【００２７】
【図１】実施例に係る防犯システムを示す概略説明図である。
【図２】実施例に係る防犯システムが設置された倉庫の外観を示す斜視図である。
【図３】実施例の防犯ユニットの内部構造を示す説明断面図である。
【図４】実施例に係る防犯システムの防犯ユニットおよび外部警報手段の作動原理を示す回路図である。
【図５】従来の警報装置を示す正面図である。
【符号の説明】
【００２８】
２２ 既設電源(外部電源)
２４ 超高輝度ＬＥＤ(発光手段)
２６ 検知手段
２８ 防犯ユニット
３０ 制御手段
３２ タイマー
４０ 通報手段
４２ 電源部(第２の電源部)
４４ ライト
４６ 回転灯
４８ サイレン
【図１】
2006215995.tif 000003
【図２】
2006215995.tif 000004
【図３】
2006215995.tif 000005
【図４】
2006215995.tif 000006
【図５】
2006215995.tif 000007